(57)【要約】      （修正有）【課題】実際に近いゴルフコース模型で、ゴルファ人形により果敢にボールを打ち進めることができる、臨場感に富んだゴルフ玩具を提供する。【解決手段】ゴルフ玩具１００において、ゴルフコースの模型はジオラマ１から成る。ジオラマ１は、平坦面１２ａ、凸部１２ｂ、１２ｃ、凹部１２ｄ、および傾斜面１２ｅを含んだベース層１２と、ベース層１２の上に設けられた磁性体層１３と、磁性体層１３の上に設けられ、ゴルフコースの情景が表現された表面層１４とを有する。ゴルファ人形２は、下方の設置部２ｓに磁性体層１３と吸着する磁石５が設けられ、上半身２ａにクラブがスイング可能に取り付けられ、設置部２ｓに対する身体の姿勢を可変にする姿勢可変機構６を有している。磁性体層１３と磁石５の吸着力により、ジオラマ１上のいずれの位置にもゴルファ人形２を安定に置けて、クラブをスイングさせることにより、ボールが打ち進められる。【選択図】図２
0003181300.tif 000002
【実用新案登録請求の範囲】
【請求項１】
ゴルフコースの模型上でゴルファ人形によりボールを打ち進めるゴルフ玩具において、
前記ゴルフコースの模型は、
平坦面と凹凸部と傾斜面が設けられたベース層と、
前記ベース層の上に設けられた磁性体層と、
前記磁性体層の上に設けられ、ゴルフコースの情景が表現された表面層と、を有するジオラマから成り、
前記ゴルファ人形は、
下方の設置部に前記磁性体層と吸着する磁石が設けられ、
上半身にクラブがスイング可能に取り付けられ、
前記設置部に対する身体の姿勢を可変にする姿勢可変機構を有している、ことを特徴とするゴルフ玩具。
【請求項２】
請求項１に記載のゴルフ玩具において、
前記クラブは、複数種類設けられ、
前記各クラブのシャフトのヘッドと反対側に、屈曲延長部を設け、
前記ゴルファ人形は、
前記屈曲延長部を挿抜させて、前記各クラブを着脱させる着脱部と、
前記着脱部を貫通した前記屈曲延長部の先端に取り付けられる操作レバーと、を有し、
前記操作レバーを揺動操作して、前記クラブをスイングさせる、ことを特徴とするゴルフ玩具。
【考案の詳細な説明】
【技術分野】
【０００１】
本考案は、ゴルフコースの模型上でゴルファ人形によりボールを打ち進めるゴルフ玩具に関する。
【背景技術】
【０００２】
たとえば、下記の特許文献１〜３には、ゴルフコースの模型上でゴルファ人形によりボールを打ち進めるゴルフ玩具が記載されている。
【０００３】
特許文献１のゴルフコースの模型は、ティーグランド、フェアウェイ、およびグリーンの各構成部材が着脱可能である。また、バンカー、池、および樹木の小物模型が、各構成部材上の任意の位置に設置可能である。このため、各構成部材と各小物模型を自由にレイアウトして、ゴルフコースを変えることができる。また、補助板を用いて、ゴルフコースを傾斜させることもできる。特許文献２のゴルフコースの模型も同様の構造である。
【０００４】
特許文献３のゴルフコースの模型は、シート状のゴルフコース盤の任意の位置に、ティーグランド、グリーン、バンカー、池、および樹木の模型が設置可能である。
【０００５】
特許文献１〜３のゴルファ人形は、ゴルフコースの模型上に置かれて、押しボタンや回転輪などの操作部を操作することで、手腕部に装着されたクラブをスイングさせて、ボールを打つ。クラブは、ゴルフクラブの模型であり、ウッド、アイアン、およびパターなどの複数種類が用意されている。ゴルファ人形の手腕部の先端には、クラブのシャフトを着脱する孔状の着脱部が設けられている。このため、ゴルファ人形に装着するクラブを適宜選択しながら、ボールを打ち進めることができる。
【０００６】
また、特許文献３のゴルファ人形は、下半身に対する上半身の前倒姿勢が可変であり、左右の肩の高さも可変である。このため、クラブの長さに合わせて、ゴルファ人形の前倒姿勢を変え、両肩を上げ下げして、打球をフックまたはスライスさせることができる。
【先行技術文献】
【特許文献】
【０００７】
【特許文献１】実開平３−７８７２号公報
【特許文献２】実開平３−７８７１号公報
【特許文献３】実公平４−２２７８８号公報
【考案の概要】
【考案が解決しようとする課題】
【０００８】
実際のゴルフコースでは、ゴルファの打ったボールが、平坦なフェアウェイやグリーンの上だけでなく、凹凸部や傾斜面のあるラフ、バンカー、池、または樹木の下などの難所にも飛んで行って、そこで止まることがある。そして、ゴルファがその難所で、足場が悪いにもかかわらず、果敢にボールを打ち進めることがある。
【０００９】
一方、上述した従来のゴルフ玩具では、ゴルフコースの模型が簡易であり、平坦なフェアウェイやグリーンの上にゴルファ人形を置いて、ボールを打ち進めている。特許文献１では、フェアウェイやグリーンに傾斜面が設けられているが、ボールはその傾斜面で転がり易く、止まることはない。
【００１０】
つまり、従来のゴルフ玩具では、実際のゴルフコースにあるような凹凸部や傾斜面などの難所に、ゴルファ人形を置いて、ボールを打つことが想定されていない。また、従来のゴルファ人形では、凹凸部や傾斜面などの足場の悪い場所に置いた場合、安定せず、転倒することが容易に推察される。
【００１１】
本考案の課題は、実際に近いゴルフコース模型で、ゴルファ人形により果敢にボールを打ち進めることができる、臨場感に富んだゴルフ玩具を提供することである。
【課題を解決するための手段】
【００１２】
本考案に係るゴルフ玩具は、ゴルフコースの模型上でゴルファ人形によりボールを打ち進めるゴルフ玩具であって、ゴルフコースの模型は、平坦面と凹凸部と傾斜面が設けられたベース層と、ベース層の上に設けられた磁性体層と、磁性体層の上に設けられ、ゴルフコースの情景が表現された表面層とを有するジオラマから成り、ゴルファ人形は、下方の設置部に磁性体層と吸着する磁石が設けられ、上半身にクラブがスイング可能に取り付けられ、設置部に対する身体の姿勢を可変にする姿勢可変機構を有している。
【００１３】
なお、ジオラマ（Diorama）とは、展示物およびその周辺の環境・背景を立体的に表現した情景模型のことであり、本考案では、ゴルフコースの情景模型である。
【００１４】
上記によると、ゴルファ人形でクラブをスイングさせて打ったボールが、ゴルフコースのジオラマ上の凹凸部や傾斜面などいずれの位置に止まっても、磁性体層と磁石の吸着力により、その位置の近傍にゴルファ人形を安定に置くことができる。そして、ゴルファ人形の姿勢可変機構により、身体の姿勢を適切に変え、クラブをスイングさせて、ボールを打つことができる。よって、実際に近いゴルフコースのジオラマ全体で、ゴルファ人形により果敢にボールを打ち進めることができ、臨場感を高めることが可能となる。
【００１５】
また、本考案では、上記ゴルフ玩具において、クラブは、複数種類設けられ、各クラブのシャフトのヘッドと反対側に、屈曲延長部を設け、ゴルファ人形は、屈曲延長部を挿抜させて、各クラブを着脱させる着脱部と、着脱部を貫通した屈曲延長部の先端に取り付ける操作レバーとを有し、操作レバーを揺動操作して、クラブをスイングさせてもよい。
【００１６】
これにより、ゴルフコースのジオラマ上のボールの位置やボールとカップの距離などに応じて、ゴルファ人形に取り付けるクラブの種類を交換することができる。また、ゴルファ人形で、操作レバーの操作角度や強弱を調節して、クラブのスイング状態を変化させ、打球の強弱や進む距離を任意に変えることができる。
【考案の効果】
【００１７】
本考案によれば、実際に近いゴルフコース模型で、ゴルファ人形により果敢にボールを打ち進めることができる、臨場感に富んだゴルフ玩具を提供することが可能となる。
【図面の簡単な説明】
【００１８】
【図１】本考案の一実施形態によるゴルフ玩具を示す外観図である。
【図２】図１のゴルフ玩具の断面構造図である。
【図３】図１のゴルフ玩具に備わるゴルファ人形へのクラブの取り付け状態を示した図である。
【図４】図１のゴルフ玩具に備わるクラブと操作レバーの要部を示した図である。
【図５】図１のゴルフ玩具に備わるクラブの種類を示した図である。
【考案を実施するための形態】
【００１９】
以下、本考案の実施形態につき、図面を参照しながら説明する。各図において、同一の部分または対応する部分には、同一符号を付してある。
【００２０】
本考案の一実施形態によるゴルフ玩具１００は、図１に示すように、ゴルフコースの模型であるジオラマ１、ゴルファ人形２、クラブ３、およびボール４を備えている。図１の（ａ）は、ゴルフ玩具１００を斜め上方から見た図であり、図１の（ｂ）は、（ａ）と異なる方向から見た図である。
【００２１】
ジオラマ１は、図２に示すように、土台１１、ベース層１２、磁性体層１３、および表面層１４を有している。
【００２２】
土台１１は、たとえば、木製である。ベース層１２は、土台１１の上に設けられていて、ゴルフコースのジオラマ１の地形を形成している。ベース層１２には、平坦面１２ａ、凸部１２ｂ、１２ｃ、凹部１２ｄ、および傾斜面１２ｅが設けられている。
【００２３】
磁性体層１３は、たとえば、鉄や鋼などの磁性体で形成された網、膜、もしくは箔、または磁性体の粉や粒や小片を含有した樹脂、ゴム、粘土、もしくは繊維などから構成されている。磁性体層１３は、ベース層１２の上に、ベース層１２の形状に沿って設けられている。
【００２４】
表面層１４は、磁性体層１３の上に設けられ、図１に示すように、ゴルフコースの情景が立体的に表現されている。
【００２５】
詳しくは、たとえば、ベース層１２の平坦面１２ａ上の表面層１４には、フェアウェイＦやグリーンＧやラフＲの一部などが形成されている。ベース層１２の大きな凸部１２ｂ上の表面層１４には、ティーグランドＴや丘Ｈなどが形成されている。ティーグランドＴや丘Ｈの上部は、平らになっている。
【００２６】
ベース層１２の凹部１２ｄ上の表面層１４には、池ＰやバンカーＢやラフＲの一部などが形成されている。ベース層１２の小さな凸部１２ｃ上の表面層１４には、池Ｐの淵Ｐｃが設けられている。ベース層１２の傾斜面１２ｅ上の表面層１４には、フェアウェイＦ、ラフＲ、丘Ｈ、およびバンカーＢの各傾斜面Ｆｅ、Ｒｅ、Ｈｅ、Ｂｅが形成されている。
【００２７】
ラフＲ、丘Ｈ、およびバンカーＢの表面は、ティーグランドＴ、フェアウェイＦ、およびグリーンＧの表面より粗くて、ボール４が転がり難くなっている。ボール４は、非磁性体で形成されている。
【００２８】
ラフＲや丘Ｈには、草花や樹木Ｊ（図１）の小物を取り付けてもよい。バンカーＢには、砂を入れてもよい。池Ｐには、水をはってもよい。
【００２９】
ゴルファ人形２は、図１では、２体設けられている。ゴルファ人形２の下部の設置部２ｓには、図２に示すように、磁石５が設けられている。磁石５は、永久磁石であって、磁性体層１３と吸着する。表面層１４が介在していても、磁石５と磁性体層１３の吸着力により、ゴルファ人形２の設置部２ｓは、ジオラマ１のいずれの位置にも安定に置くことができる。
【００３０】
ゴルファ人形２は、設置部２ｓに対する身体の姿勢を可変にする姿勢可変機構６を有している。姿勢可変機構６は、球面部６ａ、６ｃと球面受け部６ｂ、６ｄから成る、いわゆるボールジョイント構造である。
【００３１】
図２（ｂ）で左側に示すゴルファ人形２は、腰部２ｃに姿勢可変機構６が設けられている。詳しくは、ゴルファ人形２の下半身２ｂの上部に球面部６ａを設け、上半身２ａの下部に球面受け部６ｂを設けている。そして、その球面部６ａと球面受け部６ｂとを係合させることにより、上半身２ａと下半身２ｂを接続している。このため、ゴルファ人形２の上半身２ａをあらゆる方向へ傾けることができるので、設置部２ｓに対する身体の姿勢が可変になる。他の例として、ゴルファ人形２の下半身２ｂの上部に球面受け部６ｂを設け、上半身２ａの下部に球面部６ａを設けてもよい。
【００３２】
また、図２（ｂ）で右側に示すゴルファ人形２は、設置部２ｓと脚部２ｇとの間に姿勢可変機構６が設けられている。詳しくは、ゴルファ人形２の設置部２ｓの上部に球面部６ｃを設け、脚部２ｇの下部に球面受け部６ｄを設けている。そして、その球面部６ｃと球面受け部６ｄとを係合させることにより、設置部２ｓと脚部２ｇを接続している。このため、ゴルファ人形２の全身をあらゆる方向へ傾けることができるので、設置部２ｓに対する身体の姿勢が可変になる。他の例として、ゴルファ人形２の設置部２ｓの上部に球面受け部６ｄを設け、脚部２ｇの下部に球面部６ｃを設けてもよい。
【００３３】
ゴルファ人形２の上半身２ａには、図１および図３に示すように、クラブ３がスイング可能に取り付けられている。
【００３４】
詳しくは、クラブ３は、ゴルフクラブの模型であって、図５に示すように、ウッド３ｗ、アイアン３ｉ、３ｊ、およびパター３ｐなどの複数種類が設けられている。各クラブ３のシャフト３ａのヘッド３ｂと反対側には、屈曲延長部３ｄが設けられている。
【００３５】
ゴルファ人形２の上半身２ａには、図３に示すように、クラブ３の屈曲延長部３ｄを通す筒状の着脱部２ｄが設けられている。着脱部２ｄの孔径は、クラブ３の屈曲延長部３ｄの径より大きくなっている。
【００３６】
図３（ａ）の状態から、図３（ｂ）に示すように、クラブ３の屈曲延長部３ｄをゴルファ人形２の着脱部２ｄへ挿入する。そして、図３（ｃ）に示すように、着脱部２ｄを貫通した屈曲延長部３ｄの先端３ｃに、操作レバー７を取り付けることで、図３（ｄ）に示すように、ゴルファ人形２にクラブ３が装着される。
【００３７】
図４に示すように、クラブ３の屈曲延長部３ｄの先端３ｃは曲げられている。操作レバー７の取付部７ａには、屈曲穴７ｂが設けられている。このため、クラブ３の屈曲延長部３ｄの先端３ｃを、操作レバー７の取付部７ａの屈曲穴７ｂに挿し込むことで、クラブ３と操作レバー７が固定される。
【００３８】
図３（ｄ）の取付け状態で、操作レバー７を指で左右に揺動操作することにより、クラブ３をスイングさせて、ヘッド３ｂでボール４（図１）を打つことができる。
【００３９】
また、図３（ｄ）の状態から、操作レバー７を外して、クラブ３の屈曲延長部３ｄを着脱部２ｄから引き抜くことで、ゴルファ人形２よりクラブ３を離脱させることができる。このため、ゴルファ人形２に対して、図５に示した複数種類のクラブ３ｗ、３ｉ、３ｊ、３ｐが着脱可能でかつ交換可能となる。
【００４０】
ゴルフ玩具１００の遊び方としては、たとえば、ゴルフコースのジオラマ１上のティーグランドＴにゴルファ人形２を置いて、操作レバー７を揺動操作し、クラブ３をスイングさせて、ボール４を打つ。
【００４１】
すると、ボール４は転動して、ジオラマ１上のフェアウェイＦやグリーンＧなどの平坦面だけでなく、ラフＲや池ＰやバンカーＢなどの凹部にも止まることがある。また、丘Ｈや池Ｐの淵Ｐｃなどの凸部や、フェアウェイＦ、ラフＲ、丘Ｈ、およびバンカーＢの各傾斜面Ｆｅ、Ｒｅ、Ｈｅ、Ｂｅなどにも止まることがある。さらに、ラフＲの樹木Ｊの下などにも止まることがある。
【００４２】
然るに、ボール４がジオラマ１上のいずれの位置に止まっても、磁性体層１３とゴルファ人形２の磁石５の吸着力により、その近傍の凹凸部Ｒ、Ｐ、Ｂ、Ｈ、Ｐｃや傾斜面Ｆｅ、Ｒｅ、Ｈｅ、Ｂｅなどの足場の悪い場所に、ゴルファ人形２の設置部２ｓを安定に置くことができる。
【００４３】
そして、ゴルファ人形２の姿勢可変機構６により、設置部２ｓに対する身体の姿勢を適切に変え、クラブ３をスイングさせて、ボール４を打つことができる。
【００４４】
また、ジオラマ１上のボール４の位置やボール４とカップＣ（図１）の距離などに応じて、ゴルファ人形２に取り付けるクラブ３の種類を交換することができる。
【００４５】
さらに、ゴルファ人形２で、操作レバー７の操作角度や強弱を調節して、クラブ３のスイング状態を変化させ、打球の強弱や進む距離を任意に変えることができる。
【００４６】
よって、実際に近いゴルフコースのジオラマ１で、ゴルファ人形２により果敢にボール４を打ち進めることができ、臨場感を高めることが可能となる。
【００４７】
本考案は、上述した以外にも種々の実施形態を採用することができる。たとえば、上記実施形態では、１つのジオラマ１にショートのゴルフコースを形成した例を示したが、本考案は、これのみに限定するものではない。これ以外に、たとえば、複数のジオラマ１を並べて、ロングのゴルフコースを形成してもよい。
【００４８】
また、図１の実施形態では、ブーメラン状に曲がったゴルフコースをジオラマ１に形成した例を示したが、本考案は、これのみに限定するものではない。これ以外に、たとえば、真っ直ぐなコースや、Ｓ字状など複雑に曲がったコースや、複雑に傾斜したコースなどの、種々のゴルフコースを１つまたは複数のジオラマ１に形成してもよい。さらに、クラブ３の種類や数、およびゴルファ人形２の数を適宜増減してもよい。
【００４９】
さらに、図２の実施形態では、姿勢可変機構６をゴルファ人形２の腰部２ｃまたは脚部２ｇのいずれかに設けた例を示したが、本考案は、これのみに限定するものではない。姿勢可変機構６は、腰部２ｃと脚部２ｇの両方に設けてもよい。また、姿勢可変機構６は、ゴルファ人形２の上半身２ａと設置部２ｓの間の任意の箇所に設けることができ、腰部２ｃや脚部２ｇ以外の箇所に設けてもよい。
【符号の説明】
【００５０】
１  ジオラマ
２  ゴルファ人形
２ａ  上半身
２ｄ  着脱部
２ｓ  設置部
３、３ｗ、３ｉ、３ｊ、３ｐ  クラブ
３ａ  シャフト
３ｂ  ヘッド
３ｃ  先端
３ｄ  屈曲延長部
４  ボール
５  磁石
６  姿勢可変機構
７  操作レバー
１２  ベース層
１２ａ  平坦面
１２ｂ、１２ｃ  凸部
１２ｄ  凹部
１２ｅ  傾斜面
１３  磁性体層
１４  表面層
１００  ゴルフ玩具
【図１】
0003181300.tif 000003
【図２】
0003181300.tif 000004
【図３】
0003181300.tif 000005
【図４】
0003181300.tif 000006
【図５】
0003181300.tif 000007